【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
ユーザによる設定に基づく第２の画像データを第１の画像データに付加する所定の画像付加機能を有さないプリンタドライバと印刷装置を特定する情報を対応付けて記憶する情報処理装置にインストールされるアプリケーションであって、前記アプリケーションは前記情報処理装置に、
前記プリンタドライバと対応づけて記憶された前記情報により特定される前記印刷装置が印刷データの送信先として選択されている状態で、前記所定の画像付加機能により付加される前記第２の画像データに関する設定を受け付ける設定画面を表示する表示制御工程と、
前記第１の画像データを取得する取得工程と、
前記設定画面を介して設定された前記第２の画像データに関する設定に基づき、取得した前記第１の画像データに前記第２の画像データを付加した印刷データを生成する生成工程と、
前記生成工程において生成した前記印刷データを提供する提供工程と、
を実行させることを特徴とするアプリケーション。
【請求項２】
前記第２の画像データに関する設定は、前記第２の画像データとして付加される文字列の設定であることを特徴とする請求項１に記載のアプリケーション。
【請求項３】
前記プリンタドライバは、複数の種類の印刷装置で印刷することができる印刷データを生成するプリンタドライバであることを特徴とする請求項１または２に記載のアプリケーション。
【請求項４】
前記印刷データはＸＰＳファイルであり、
前記生成工程において、前記ＸＰＳファイルを編集することで前記第１の画像データに前記第２の画像データを付加した前記印刷データを生成することを特徴とする請求項１乃至３のいずれか一項に記載のアプリケーション。
【請求項５】
前記アプリケーションは前記提供工程において、前記印刷データをＯＳに提供することで前記印刷データをＰＤＬデータに変換させることを特徴とする請求項１乃至４のいずれか一項に記載のアプリケーション。
【請求項６】
前記アプリケーションは、前記印刷装置の種類を識別する情報を用いて特定されるアプリケーションであることを特徴とする請求項１乃至５のいずれか一項に記載のアプリケーション。
【請求項７】
前記プリンタドライバは、ＯＳにプリインストールされるプリンタドライバであることを特徴とする請求項１乃至６のいずれか一項に記載のアプリケーション。
【請求項８】
所定のプリンタドライバが有していない、ユーザによる設定に基づく第２の画像データを第１の画像データに付加する所定の画像付加機能を有するアプリケーションがインストールされた情報処理装置であって、
前記所定のプリンタドライバと印刷装置を特定する情報を対応づけて記憶する記憶手段と、
前記所定のプリンタドライバと対応づけて記憶された前記情報により特定される前記印刷装置が印刷データの送信先として設定された状態で、前記アプリケーションに前記所定の画像付加機能に関する設定を受け付ける設定画面を表示させる制御手段と、
前記設定画面により受け付けた前記設定に基づき、前記第１の画像データに前記第２の画像データを付加した印刷データを生成する生成手段と、
生成した前記印刷データを送信する送信手段と、
を有することを特徴とする情報処理装置。
【請求項９】
前記第２の画像データに関する設定は、前記第２の画像データとして付加される文字列の設定であることを特徴とする請求項８に記載の情報処理装置。
【請求項１０】
前記所定のプリンタドライバは、複数の種類の印刷装置で印刷することができる印刷データを生成するプリンタドライバであることを特徴とする請求項８または９に記載の情報処理装置。
【請求項１１】
前記印刷装置の種別を示す情報を取得する第１の取得手段をさらに有し、
前記アプリケーションは、前記第１の取得手段が取得した前記印刷装置の種別を示す情報を用いて特定されるアプリケーションであることを特徴とする請求項８乃至１０のいずれか一項に記載の情報処理装置。
【請求項１２】
前記印刷装置の種別を示す情報を用いて特定されるアプリケーションを外部装置から取得する第２の取得手段をさらに有することを特徴とする請求項１１に記載の情報処理装置。
【請求項１３】
前記印刷装置の種別を示す情報は前記印刷装置のHWIDであることを特徴とする請求項１１に記載の情報処理装置。
【請求項１４】
前記プリンタドライバは、ＯＳにプリインストールされるプリンタドライバであることを特徴とする請求項８乃至１３のいずれか一項に記載の情報処理装置。
【請求項１５】
所定のプリンタドライバが有していない、ユーザによる設定に基づく第２の画像データを第１の画像データに付加する所定の画像付加機能を有するアプリケーションがインストールされた情報処理装置の制御方法であって、
前記所定のプリンタドライバと印刷装置を特定する情報を対応づけて記憶する記憶工程と、
前記所定のプリンタドライバと対応づけて記憶された前記情報により特定される前記印刷装置が印刷データの送信先として設定された状態で、前記アプリケーションに前記所定の画像付加機能に関する設定を受け付ける設定画面を表示させる制御工程と、
前記設定画面により受け付けた前記設定に基づき、前記第１の画像データに前記第２の画像データを付加した印刷データを生成する生成工程と、
生成した前記印刷データを送信する送信工程と、
を有することを特徴とする情報処理装置の制御方法。
【請求項１６】
前記第２の画像データに関する設定は、前記第２の画像データとして付加される文字列の設定であることを特徴とする請求項１５に記載の情報処理装置の制御方法。
【請求項１７】
前記所定のプリンタドライバは、複数の種類の印刷装置で印刷することができる印刷データを生成するプリンタドライバであることを特徴とする請求項１５または１６に記載の情報処理装置の制御方法。
【請求項１８】
前記印刷装置の種別を示す情報を取得する第１の取得工程をさらに有し、
前記アプリケーションは、前記第１の取得工程において取得した前記印刷装置の種別を示す情報を用いて特定されるアプリケーションであることを特徴とする請求項１５乃至１７のいずれか一項に記載の情報処理装置の制御方法。
【請求項１９】
前記印刷装置の種別を示す情報を用いて特定される前記アプリケーションを外部装置から取得する第２の取得工程と、を有することを特徴とする請求項１８に記載の情報処理装置の制御方法。
【請求項２０】
前記印刷装置の種別を示す情報は前記印刷装置のHWIDであることを特徴とする請求項１８または１９に記載の情報処理装置の制御方法。
【手続補正２】
【補正対象書類名】明細書
【補正対象項目名】００１３
【補正方法】変更
【補正の内容】
【００１３】
上記の少なくとも１つの目的を達成するために本発明はユーザによる設定に基づく第２の画像データを第１の画像データに付加する所定の画像付加機能を有さないプリンタドライバと印刷装置を特定する情報を対応付けて記憶する情報処理装置にインストールされるアプリケーションであって、前記アプリケーションは前記情報処理装置に、前記プリンタドライバと対応づけて記憶された前記情報により特定される前記印刷装置が印刷データの送信先として選択されている状態で、前記所定の画像付加機能により付加される前記第２の画像データに関する設定を受け付ける設定画面を表示する表示制御工程と、前記第１の画像データを取得する取得工程と、前記設定画面を介して設定された前記第２の画像データに関する設定に基づき、取得した前記第１の画像データに前記第２の画像データを付加した印刷データを生成する生成工程と、前記生成工程において生成した前記印刷データを提供する提供工程と、を実行させることを特徴とする。